(57)【要約】      （修正有）【課題】  歯の数を増やしてメーキャップを一層塗布しやすくし、これがもたらす効果を高めるが、睫毛が歯の間を通るのを阻止する睫毛及び（又は）眉毛への物質の塗布器具を提供する。【解決手段】  塗布器具は、長手方向軸線（Ｙ）に沿って延びる支持体（１０）と、支持体と一体に単一品として作られた歯の第１の列（２０）及び第２の列（３０）とを有する。歯は、支持体の共通の側面に連結され、且つ、支持体の長さの少なくとも１／４にわたって延び、列のうちの少なくとも一方は、少なくとも一部が上記列に沿って延びる分離面（Ｓ１，Ｓ２）の各側で延びる２つの歯から成る。少なくとも２つの歯は、互いに平行ではない方向に延びる。【選択図】図３
2006051350.tif 000002
【特許請求の範囲】
【請求項１】
物質を睫毛及び（又は）眉毛に塗布する器具（１）であって、長手方向軸線（Ｙ）に沿って延びる支持体（１０）と、支持体と一体に単一品として作られた歯の第１の列（２０）及び第２の列（３０）とを有し、前記歯は、支持体の共通の側面に連結され、且つ、支持体の長さの少なくとも１／４にわたって延び、列のうちの少なくとも一方は、少なくとも一部が前記列に沿って延びる分離面（Ｓ１，Ｓ２）の各側で延びる２つの歯から成り、少なくとも２つの歯は、互いに平行ではない方向に延びることを特徴とする器具。
【請求項２】
第１及び第２の列は、支持体の長手方向軸線（Ｙ）に実質的に平行に延びることを特徴とする請求項１記載の器具。
【請求項３】
少なくとも一方の列の少なくとも３つの連続した歯は、互いに整列していないベースを有することを特徴とする請求項１記載の器具。
【請求項４】
少なくとも一方の列の少なくとも３つの連続した歯は、互いに実質的に整列しているベースを有することを特徴とする請求項１記載の器具。
【請求項５】
少なくとも一方の列の少なくとも２つの連続した歯は、互いに触れ合っていないことを特徴とする請求項１記載の器具。
【請求項６】
少なくとも一方の列の少なくとも２つの連続した歯は、互いに触れ合っていることを特徴とする請求項１記載の器具。
【請求項７】
少なくとも一方の列の少なくとも３つの連続した歯は、少なくとも一部が分離面（Ｓ１；Ｓ２）の各側で交互に延びていることを特徴とする請求項１記載の器具。
【請求項８】
少なくとも一方の列の少なくとも２つの連続した歯は、互いに実質的に平行な方向に延びていることを特徴とする請求項１記載の器具。
【請求項９】
少なくとも一方の列の少なくとも２つの連続した歯は、互いに分岐する方向に延びていることを特徴とする請求項１記載の器具。
【請求項１０】
少なくとも一方の列の少なくとも２つの連続した歯は、支持体の遠位端部及び近位端部の方へそれぞれ差し向けられていることを特徴とする請求項９記載の器具。
【請求項１１】
少なくとも一方の列の前記２つの連続した歯は、支持体を側面から見て互いに交差していることを特徴とする請求項１０記載の器具。
【請求項１２】
少なくとも一方の列の少なくとも２つの歯は、互いに異なる長さを有することを特徴とする請求項１記載の器具。
【請求項１３】
少なくとも一方の列の少なくとも２つの歯は、互いに異なる形状を有することを特徴とする請求項１記載の器具。
【請求項１４】
少なくとも一方の列の少なくとも１つの歯は、直線状である長手方向軸線に沿って延びていることを特徴とする請求項１記載の器具。
【請求項１５】
少なくとも一方の列の少なくとも１つの歯は、直線状ではない長手方向軸線に沿って延びていることを特徴とする請求項１記載の器具。
【請求項１６】
少なくとも一方の列の少なくとも１つの歯は、その自由端部に向かってテーパした全体としてテーパした形状を有することを特徴とする請求項１記載の器具。
【請求項１７】
少なくとも一方の列は、直線状である軸線に沿って延びていることを特徴とする請求項１記載の器具。
【請求項１８】
分離面は、列の中間平面であることを特徴とする請求項１記載の器具。
【請求項１９】
第１及び第２の列の歯は、支持体の長さの１／２以上にわたって延びていることを特徴とする請求項１記載の器具。
【請求項２０】
第１及び第２の列の歯は、支持体の長さの３／４以上にわたって延びていることを特徴とする請求項１記載の器具。
【請求項２１】
少なくとも一方の列の歯は、共通方向に平行に延びていることを特徴とする請求項１記載の器具。
【請求項２２】
少なくとも一方の列（２０）の少なくとも２つの連続した歯は、実質的に半円形の断面を有し、前記歯は、列の内側の方へ向いた実質的に平らなフェース（２１ａ；２１ｂ）を有することを特徴とする請求項１記載の器具。
【請求項２３】
２つの列（２０；３０）のみを有することを特徴とする請求項１記載の器具。
【請求項２４】
３以上の列を有することを特徴とする請求項１記載の器具。
【請求項２５】
第１の列（２０）の歯（２１，２２）は、第１の方向に実質的に平行に延び、第２の列（３０）の歯（３１，３２）は、第２の方向に実質的に平行に延び、第１の方向と第２の方向は、互いにゼロではない角度（α）をなしていることを特徴とする請求項１記載の器具。
【請求項２６】
角度（α）は、５°〜６０°であることを特徴とする請求項２５記載の器具。
【請求項２７】
角度（α）は、１５°〜４５°であることを特徴とする請求項２６記載の器具。
【請求項２８】
第１及び第２の列の歯が連結された支持体のフェース（１１）は、実質的に平らであることを特徴とする請求項１〜２７のうちいずれか一に記載の器具。
【請求項２９】
角度（α）の２等分線は、歯が連結されたフェース（１１）に実質的に垂直であることを特徴とする請求項２５又は２８記載の器具。
【請求項３０】
角度（α）の２等分線は、歯が連結されたフェース（１１）と交差し、これに対して垂直ではないことを特徴とする請求項２５又は２８記載の器具。
【請求項３１】
列のうち一方の少なくとも１つの歯は、他方の列の歯のプロフィールとは異なるプロフィールを有することを特徴とする請求項１記載の器具。
【請求項３２】
一方の列の少なくとも１つの歯は、他方の列の歯の列とは異なる長さを有することを特徴とする請求項１記載の器具。
【請求項３３】
一方の列の２つの歯は、互いに第１の角度（β１）をなす方向に延びていることを特徴とする請求項１記載の器具。
【請求項３４】
他方の列の２つの歯は、互いに第２の角度（β２）をなす方向に延びていることを特徴とする請求項３３記載の器具。
【請求項３５】
第１の角度（β１）と第２の角度（β２）は互いに異なることを特徴とする請求項３３又は３４記載の器具。
【請求項３６】
両方の列（２０；３０）は、実質的に同一の数の歯を有することを特徴とする請求項１記載の器具。
【請求項３７】
歯は、各列内でグループをなして整然と配置され、第１及び第２の列にそれぞれ属する歯の２つのグループは、支持体上の実質的に同一の軸方向位置を占めることを特徴とする請求項１記載の器具。
【請求項３８】
列の歯は、グループ（４０）をなして整然と配置され、列のうちの一方に属する少なくとも１つのグループは、他方の列に属する対応のグループに対し軸方向にずれていることを特徴とする請求項１記載の器具。
【請求項３９】
グループ（４０）は、支持体（１０）上に互い違いの形態で配置されていることを特徴とする請求項３８記載の器具。
【請求項４０】
各グループ（４０）は、歯を２つしか含んでいないことを特徴とする請求項３７〜３９のうちいずれか一に記載の器具。
【請求項４１】
第１の列の少なくとも１つの歯（２１）は、支持体上の実質的に同一の軸方向位置を占める第２の列の歯（３１）に対応していることを特徴とする請求項１記載の器具。
【請求項４２】
支持体上の実質的に同一の軸方向位置を占める２つの歯（２１；３１）は、互いに触れ合っていることを特徴とする請求項４１記載の器具。
【請求項４３】
支持体は、直線状である長手方向軸線（Ｙ）に沿って延びていることを特徴とする請求項１記載の器具。
【請求項４４】
支持体は、曲線状である長手方向軸線（Ｙ）に沿って延びていることを特徴とする請求項１記載の器具。
【請求項４５】
歯（２１，２２；３１，３２）は、プラスチック材料で支持体（１０）と一体に成形されていることを特徴とする請求項４４記載の器具。
【請求項４６】
プラスチック材料は、エラストマーであることを特徴とする請求項４５記載の器具。
【請求項４７】
支持体及び歯のうち少なくとも一方は、磁性を有することを特徴とする請求項１〜４６のうちいずれか一に記載の器具。
【請求項４８】
支持体及び歯のうち少なくとも一方は、フロック加工されていることを特徴とする請求項１〜４７のうちいずれか一に記載の器具。
【請求項４９】
支持体は、ほぼ同じ配列状態の歯を支持した複数の側面を有することを特徴とする請求項１〜４８のうちいずれか一に記載の器具。
【請求項５０】
支持体は、ワイパ部材（６）を通過しやすいように形作られていることを特徴とする請求項１〜４９のうちいずれか一に記載の器具。
【請求項５１】
支持体（１０）は、ステム（７）の第１の端部に締結されていることを特徴とする請求項１〜５０のうちいずれか一に記載の器具。
【請求項５２】
ステム（７）は、第１の端部から見て遠くの第２の端部のところで取っ手（５）に連結されていることを特徴とする請求項５１記載の器具。
【請求項５３】
取っ手（５）は、塗布されるべき物質を収容した容器（３）を実質的に漏れ止め状態で密閉するよう構成されていることを特徴とする請求項５２記載の器具。
【請求項５４】
容器（３）は、ワイパ部材（６）を有することを特徴とする請求項５３記載の器具。
【請求項５５】
金属を含んでいないことを特徴とする請求項１〜５４のうちいずれか一に記載の器具。
【請求項５６】
物質はマスカラであることを特徴とする請求項１記載の器具。
【発明の詳細な説明】
【技術分野】
【０００１】
本発明は、物質を角質線維に塗布する器具に関し、この器具は、長手方向軸線に沿って延びる支持体及び支持体と一体に単一品として作られた歯を有し、歯は、支持体の共通の側面に連結されている。
【背景技術】
【０００２】
米国特許第６，５８１，６１０号明細書は、物質を睫毛に塗布する器具を開示しており、この器具は、物質を収容するよう構成された容器と、歯の少なくとも１つの列を有するアプリケータとを有し、歯の列は、連続した歯から成る連続体を有し、連続体の各歯は、ベース及びベースから延びる一部を有する。連続した歯のベースは、互いに実質的に整列しており、ベースから延びる部分は、幾何学的な分離面の各側に交互にずれた状態で位置し、即ち、想像上の幾何学的構造は、各側に交互の歯が設けられていて、以下「分離面」と称する境界を定めている。
【０００３】
米国特許第６，３４３，６０７号は、物質を睫毛に塗布する器具であって、ステムと、ステムの一端部に設けられたアプリケータ要素とを有し、アプリケータ要素が、複数の辺を定める多角形断面の支持体と、支持体に設けられた複数のアプリケータ要素とから成り、アプリケータ要素のうちの少なくとも２つは、上記支持体の種々の辺の実質的に延長方向に支持体から遠ざかって延びると共に互いに異なる方向に延びている器具を開示している。
【０００４】
米国特許第４，６６０，５８２号明細書は、全て互いに平行に延びる細かい歯を有するマスカラブラシを開示している。
加うるに、米国特許第４，４２２，９８６号明細書は、厳密に互いに整列状態にある列の状態で設けられた歯を有するマスカラブラシを成形する方法及び装置を開示しており、これら列は、ブラシの長手方向軸線に平行に延び、又これに垂直に延びている。
物質を睫毛に塗布できる他の器具も又、本出願人名義の米国特許第６，４１２，４９６号明細書、第６，５３０，９５０号明細書及び第６，５４６，９３７号明細書で知られている。
【発明の開示】
【発明が解決しようとする課題】
【０００５】
歯の数を増やしてメーキャップを一層塗布しやすくし、これがもたらす効果を高めるが、睫毛が歯の間を通るのを阻止すると共にアプリケータ部材の寸法形状を過度に増大にさせず又はその製造を複雑にしないようにすることが望ましい場合がある。
【課題を解決するための手段】
【０００６】
本発明は特に、この要望を満たそうとするものである。
一実施形態では、本発明は、物質を睫毛及び（又は）眉毛に塗布する器具（１）であって、長手方向軸線に沿って延びる支持体と、支持体と一体に単一品として作られた歯の第１の列及び第２の列とを有し、上記歯は、支持体の共通の側面に連結され、且つ、支持体の長さの少なくとも１／４にわたって延び、列のうちの少なくとも一方は、少なくとも一部が上記列に沿って延びる分離面の各側で延びる２つの歯から成する。
【０００７】
少なくとも２つの歯は、互いに平行ではない方向に延びる。
第１及び第２の列は、支持体の長手方向軸線に実質的に平行に延びるのがよい。
歯の両方の列を支持体の共通フェースに連結するのがよく、支持体は、例えば実質的に平らである。
【０００８】
本発明により、支持体は、比較的多い数の歯を備えることができ、この場合、睫毛は、歯相互間を通るのが阻止され、しかもアプリケータの嵩張り具合をそれほど大きくしない。
特に、アプリケータ部材により得られる効果は、ブラシにより得られる効果に近く、歯は、特に睫毛を梳り、物質を睫毛表面に撫で付けるのに適している。
少なくとも一方の列の少なくとも３つの連続した歯は、任意的に互いに実質的に整列しているベースを有するのがよい。
【０００９】
本明細書及び特許請求の範囲で用いられる「実質的に整列している」という表現は、連続して並んだ各歯のベースの一部が連続した歯のベースを通る線の第１の側に位置し、連続して並んだ各歯のベースの別の部分が第１の側とは反対側の線の第２の側に位置し、線は、検討中の列の長手方向軸線に実質的に平行であることを意味するものとして理解されるべきである。特に、この線は、連続した歯のベースの中心を通る直線であるのがよい。互いに整列状態にはないベースを有する歯は、アプリケータ部材を製造しやすくすることができる。一方の列の歯のべースは、アプリケータ部材を側面から見て、その長手方向軸線に垂直な方向に少なくとも部分的に重なり合うのがよいが、このようにするかどうかは任意である。互いに重ね合わせられていないベースを有する歯も又、アプリケータ部材を製造しやすくすることができる。歯は、例えば所望のメーキャップ効果の関数として多くの形態に配列することができる。
【００１０】
少なくとも一方の列の少なくとも２つの連続した歯は、必ずしも互いに触れ合っている必要はない。互いに触れ合っていない歯は、より広い空間を歯相互間に生じさせることができる場合があり、しかも場合によってはアプリケータ部材に装填できる物質の量を増大させる。
【００１１】
少なくとも一方の列の少なくとも３つの連続した歯は、少なくとも一部が分離面の各側で交互に延びるのがよい。少なくとも一方の列の少なくとも２つの連続した歯は、末広がりに開く方向又は互いに実質的に平行な方向に延びるのがよい。少なくとも一方の列の少なくとも２つの歯は、互いに異なり又は互いに同一の長さを有してよい。少なくとも一方の列の少なくとも２つの歯は、互いに異なり又は互いに同一の形状を有してもよい。少なくとも一方の列の少なくとも１つの歯は、任意的に直線状である軸線に沿って延びるのがよい。少なくとも一方の列の少なくとも１つの歯は、その自由端部に向かってテーパして全体としてテーパした形状を有してもよい。
【００１２】
少なくとも一方の列の少なくとも２つの連続した歯は、支持体の遠位端部及び近位端部の方へそれぞれ差し向けられているのがよい。
少なくとも一方の列の２つの連続した歯は、支持体を側面から見て互いに交差しているのがよい。
【００１３】
歯は、これらの交差部のところで互いに触れ合うのがよいが、このようにするかどうかは任意である。
交差部の上方に延びる歯の部分は、Ｖ字形チャネルを構成するのがよい。
少なくとも一方の列の少なくとも２つの連続した歯は各々、少なくとも１つのフェース、例えば実質的に平らなフェースを有するのがよく、歯は、形状が例えば実質的に半円形である断面を有し、かかる歯は、例えば列の内側の方へ向いた実質的に平らなフェースを有する。
【００１４】
少なくとも一方の列は、直線状である軸線に沿って延びるのがよい。
分離面は、２上記表面に関連した列の中間平面であるのがよい。
第１及び第２の列の歯は、支持体の長さの１／２以上にわたって、特に支持体の長さの３／４以上にわたって延びるのがよい。
【００１５】
器具は、歯の列を２つだけ有してもよく、或いは３以上の列を有してもよく、上述の第１及び第２の列以外の列は、第１及び第２の列と同一の支持体の側面又は例えば別の側面に設けられる。
少なくとも一方の列の歯は、共通方向に平行に延びるのがよいが、そのようにするかどうかは任意である。
【００１６】
第１の列の歯は、第１の方向に実質的に平行に延びるのがよく、第２の列の歯は、第２の方向に実質的に平行に延びるのがよい。第１の方向と第２の方向は、互いにゼロではない角度をなすのがよく、角度は場合によっては、例えば５°〜６０°であり、特に１５°〜４５°である。第１及び第２の列の歯が連結された支持体のフェースは、実質的に平らであるのがよい。第１の方向と第２の方向のなす角度の２等分線は、歯が連結されたフェースと交差するのがよく、又これに実質的に垂直であるのがよいが、このようにするかどうかは任意である。
【００１７】
第１の列の少なくとも１つの歯は、支持体上の実質的に同一の軸方向位置を占める第２の列の歯に対応するのがよく、２つの歯は任意的に触れ合う。
列のうちの一方の少なくとも１つの歯は、他方の列の歯のプロフィールとは異なるプロフィールを有するのがよい。
一方の列の少なくとも１つの歯は、他方の列の歯の長さとは異なる長さを有するのがよい。
【００１８】
一方の列の２つの歯は、互いに第１の角度をなす方向に延びるのがよく、他方の列の２つの歯は、互いに第２の角度をなす方向に延びるのがよく、第１の角度と第２の角度は、互いに等しくてもよく、或いは互いに異なっていてもよい。第１の角度及び第２の角度のうち少なくとも一方は、ゼロであるのがよい。
【００１９】
両方の列は、実質的に同一の数の歯を有するのがよいが、このようにするかどうかは任意である。一例を挙げると、各列は、２０〜５０の歯を有するのがよく、特に３０を超える歯を有するのがよい。
【００２０】
歯は、各列内で、列の長手方向軸線にとって等間隔を置いて配置されるのがよく、或いは２以上の歯から成るグループをなして整然と配置されるのがよく、一グループ内の歯相互間の列の長手方向軸線に沿う距離は、上記列の歯の２つの隣り合うグループ相互間の距離よりも短い。
【００２１】
第１及び第２の列にそれぞれ属する歯の２つのグループは、支持体上の実質的に同一の軸方向位置を占める必要はない。一例を挙げると、列のうちの一方に属する歯の少なくとも１つのグループは、他方の列に属する歯の対応のグループに対し軸方向にずれているのがよい。特に、歯のグループは、支持体上に互い違いの形態で配置されるのがよい。
【００２２】
支持体は、直線状である必要はない長手方向軸線に沿って延びてもよく、例えば長手方向軸線は、曲線であってもよい。
歯は、プラスチック材料で支持体と一体に成形されるのがよく、プラスチック材料は、エラストマーであるのがよい。
支持体及び歯のうち少なくとも一方は、磁性を有するのがよい。一例を挙げると、磁性は、磁気粒子充填材が支持体及び（又は）歯のプラスチック材料中に分散して配置された結果であるのがよい。
支持体及び歯のうち少なくとも一方は、フロック加工されたものであるのがよい。
【００２３】
アプリケータ部材は、各々が本発明による配列状態の歯を備えた複数の側面を有するのがよい。
支持体をステムの第１の端部に締結するのがよい。ステムは、第１の端部から見て遠くの第２の端部のところで取っ手に連結されるのがよく、取っ手は、塗布されるべき物質、特にマスカラを収容した容器を実質的に漏れ止め状態で密閉するよう構成されたものであるのがよい。
【００２４】
容器は、ワイパ部材を有するのがよく、このワイパ部材は、ステム及びアプリケータ部材を拭い取るようになっているのがよい。支持体は、ワイパ部材を通過しやすくするように形作られたものであるのがよい。
器具は、金属を用いないで作られたものであるのがよく、それにより器具をマイクロ波オーブン内に配置できる。
【００２５】
一実施形態では、本発明は又、物質を睫毛及び（又は）眉毛に塗布する器具であって、長手方向軸線に沿って延びる支持体と、支持体と一体に単一品として作られた歯の第１の列及び第２の列とを有し、上記歯は、支持体の共通の側面に連結され、且つ、支持体の長さの少なくとも１／４にわたって延び、列のうちの少なくとも一方は、少なくとも一部が上記列に沿って延びる分離面の各側で延びる２つの歯から成り、少なくとも一方の列の２つの連続した歯は、列の内部へ向いた実質的に平らなフェースを有する器具を提供する。
【００２６】
一実施形態では本発明は又、物質を睫毛及び（又は）眉毛に塗布する器具であって、長手方向軸線に沿って延びる支持体と、支持体と一体に単一品として作られた歯とを有し、上記歯は、上記支持体の共通フェースに連結され、支持体の長手方向軸線に実質的に平行である少なくとも４本の線に沿って互いに整列状態にある自由端部を備える器具を提供する。
【００２７】
歯の第１の列及び第２の列のうち少なくとも一方は、上記列に沿って延びる分離面の各側で少なくとも部分的に、好ましくは全体が延びる２つの歯を有するのがよく、２つの歯は、分離面に対し互いに異なって配置される。
【００２８】
同一列の２つの連続した歯は、並進移動により一方が他方の鏡像でなくてもよい。
歯の第１の列及び第２の列は、これらが連結された支持体の共通の側面の縁部から見て内方に配置されるのがよい。これら列は、歯の幅よりも長い距離だけ縁部から間隔を置いて位置するのがよい。
【００２９】
歯の第１の列の２つの連続した歯は、列をその長手方向軸線に沿って見て、列の長手方向軸線に垂直に測定した歯の幅よりも短い距離だけ互いに間隔を置いて位置するのがよい。
歯の第２の列の２つの連続した歯は、列をその長手方向軸線に沿って見て、列の長手方向軸線に垂直に測定した歯の幅よりも短い距離だけ互いに間隔を置いて位置するのがよい。
【００３０】
歯の第１の列及び第２の列の歯は各々、歯が延びる起点である共通側面に垂直な方向に対しゼロでは角度をなして延びるのがよい。この共通側面は、平らな側面であるのがよい。
本発明は、以下の詳細な説明を読むと共に添付の図面を参照すると一層よく理解されよう。
【発明を実施するための最良の形態】
【００３１】
図１は、本発明に従って製作された包装型アプリケータ器具を示しており、この包装型アプリケータ器具は、アプリケータ２と、睫毛及び（又は）眉毛に塗布されるべき物質Ｐ、例えばマスカラ又はケア製品を収容した関連の容器３とを有している。
【００３２】
検討中の実施形態では、容器３は、ねじ山付きネック４を有し、アプリケータ２は、これが使用されていない場合、容器３を漏れ止め状態に密閉するようネック４に螺着されるよう構成されたクロージャキャップ５を有し、クロージャキャップ５は又、アプリケータ２の取っ手を構成している。
容器３は、ネック４に挿入されるワイパ部材６を更に有している。
アプリケータ２は、頂端部がクロージャキャップ５に連結された長手方向軸線Ｘのステム７を有し、このステムは、その底端部にアプリケータ部材８を有している。
ワイパ部材６は、アプリケータ２が容器３から取り出される際にステム７を拭い取るよう配置されたリップ９を有している。
【００３３】
図示の実施形態では、ステム７は、円形断面を有するが、ステム７が平らな断面を有することは本発明の範囲から逸脱せず、この場合、キャップ５は、必要ならばねじ係合以外の方法で容器３に締結される。
【００３４】
検討中の実施形態では、ステム７の長手方向軸線Ｘは、直線状であり、アプリケータ２が上記容器上の定位置にある間、容器３の長手方向軸線と一致するが、ステム７が非直線状であり、例えばこのステムが曲げ部を形成することは本発明の範囲から逸脱しない。
【００３５】
適宜、ステム７は、ワイパ部材６のリップ９と同一高さに位置するようになった環状くびれ部を有するのがよく、したがって上記リップは、貯蔵中、機械的な応力を受けないようになっている。当然のことながら、図示のワイパ部材とは異なるワイパ部材６、特にフォームのブロック又は割り型ワイパリップを有するワイパ部材を使用することは本発明の範囲から逸脱しない。
【００３６】
図２を参照すると、アプリケータ部材８は、長手方向軸線Ｙに沿って延びていて、一方の側面にフェース１１を備えた支持体１０を有し、フェース１１は、実質的に平らであり、これには、歯の２つの列２０，３０が連結されている。
【００３７】
歯の２つの列は、プラスチック材料を成形することにより支持体１０と一体に単一品として作られている。比較的硬質又は比較的軟質のプラスチック材料を用いることができ、プラスチック材料としては、例えば、スチレン−エチレン−ブチレン−スチレン（ＳＥＢＳ）、シリコーン、エチレン−プロピレンターポリマーゴム（ＥＰＤＭ）、ニトリル、ポリエステル、ポリアミド、ポリエチレン又はビニルエラストマーだけでなく、ポリオレフィン、例えばポリエチレン（ＰＥ）又はポリプロピレン（ＰＰ）、ポリスチレン（ＰＳ）、ポリエチレンテレフタレート（ＰＥＴ）、ポリオキシメチレン（ＰＯＭ）、ポリアミド（ＰＡ）又はポリメチルメタクリレート（ＰＥＭＭＡ）が挙げられるが、この一覧は限定的なものではない。適宜、アプリケータ部材は又、金属を成形することにより又は機械加工により作られたものであってもよい。
【００３８】
支持体１０は、アプリケータ２を容器３内へ戻しやすいよう前に向かって丸くなった遠位端部１２と、アプリケータ２を取り外している間、アプリケータ部材８がワイパ部材６を通過しやすいようにするよう形作られた近位部分１３とを有している。
【００３９】
支持体１０は、その近位端部の延長部として軸線Ｚの円筒形エンドピース１４を有し、このエンドピースにより、支持体をステム７に締結することができる。検討中の実施形態では、エンドピース１４は、環状溝１５を有し、この環状溝１５は、ステム７の底端部のところに設けられた対応関係をなすハウジングとスナップ嵌合するよう配置されている。当然のことながら支持体１０を任意他の手段、特にスナップ嵌合以外の手段、例えば接着剤、ヒートシール又はクランプによりステム７に締結してもよい。支持体１０は又、成形によりステム７と一体に単一品として作られたものであってもよい。
【００４０】
検討中の実施形態では、エンドピース１４の軸線Ｚは、アプリケータを一層人間工学的にするよう支持体１０の長手方向軸線Ｙと数度の角度ｉをなしており、角度ｉは、歯の列２０，３０から見て遠くに位置する軸線Ｙの端のところに作られている。
各列２０又は３０は、図２で理解できるように、支持体１０の可視長さｌの１／４以上に相当する距離ｄにわたって延びている。
検討中の実施形態では、距離ｄは、距離ｌの３／４以上であり、差ｌ−ｄは、実質的に遠位部分１２及び近位部分１３の軸線Ｙに沿う寸法の合計に一致している。
少なくとも２つの歯は、互いに平行ではない方向に延びている。
【００４１】
さらに、検討中の実施形態では、列２０，３０は各々、曲線状であり、支持体１０の長手方向軸線Ｙに平行である長手方向軸線Ｗに沿って延びているが、他の形態も可能である。図示していない変形例では、列２０，３０の長手方向軸線は、特に支持体１０の長手方向軸線Ｙに対し斜めに延びてもよい。
【００４２】
図３を参照すると、歯の列２０又は３０は、列２０について符号２１，２２で示され、列３０について符号３１，３２で示された交互に配置されている歯を有していることが理解できる。各列２０又は３０は有利には、３０を超える歯、例えば約３５個の歯を有する。
【００４３】
列２０では、２つの連続した歯２１，２２が少なくとも部分的に平面である分離面Ｓ１の各側にそれぞれ設けられている。検討中の実施形態では、同じことが、列３０の歯３１，３２について当てはまり、これら歯３１，３２は、少なくとも部分的に、これまた平面である分離面Ｓ２の各側にそれぞれ設けられている。
【００４４】
図示の実施形態では、分離面Ｓ１，Ｓ２は、互いに約４０°の角度αをなしている。フェース１１の法線又は垂直線Ｎは、図３で理解できるように角度αを実質的に２等分している。
図３の実施形態では、列２０内では、歯２１，２２は、互いに整列していないベース２１ｂ，２２ｂをそれぞれ有している。というのは、これらは、全体がそれぞれ分離面Ｓ１の互いに反対側の側面に位置しているからである。同じことが、互いに整列しておらず、全体が分離面Ｓ２の互いに反対側の側面に位置したベースをそれぞれ備えた歯３１，３２について当てはまる。
【００４５】
図示の実施形態では、ベース２１ｂ，２２ｂは、アプリケータ部材を側面から見て、図４の場合のように軸線Ｙに垂直な方向に互いにオーバーラップしていない。同じことが、歯３１，３２について当てはまる。
【００４６】
図７で理解できるように、第１の列２０の各歯２１は、第２の列３０の歯３１の各々と関連しているのがよく、第２の列の歯は、支持体の軸線Ｙに沿う実質的に同一の軸方向位置を占めている。同じことは、歯３２と関連するのがよい各歯２２について当てはまる。
【００４７】
図３では、歯２１，３１のベースは、互いに触れ合っているのがよいことが理解できる。歯２１，３１は、外方に開いた実質的にＶ字形を形成している。同じことが、歯２２，３２について当てはまる。
【００４８】
検討中の実施形態では、歯２１，２２は、直線状であり、支持体１０のフェース１１に対して平行ではない長手方向軸線に沿って延び、これら歯は、断面で見て、平らなフェース２１ａ，２２ａを有し、歯は、図５及び図６に示すように特に半円形の断面を有し、歯２１，２２の平らなフェース２１ａ，２２ａは、列２０の内側の方へ向いている。同じことは、歯３１，３２について当てはまる。
【００４９】
アプリケータ部材８を製造するため、例えば、図８に示すように底部ブロック４０及び頂部ブロック４１を有する金型を用いることが可能である。
底部ブロック４０は、矢印Ａの方向に互いに遠ざかることができる２つの部分４０ａ，４０ｂで構成されており、頂部ブロック４１を矢印Ｂに沿って動くことにより底部ブロック４０と組立て可能である。
【００５０】
底部ブロック４０は、歯２１を形成するためのキャビティ４２及び歯３２を形成するためのキャビティ４３を有し、頂部ブロックは、歯２２を形成するためのキャビティ４４及び歯３１を形成するためのキャビティ４５を有し、キャビティ４４，４５は、金型を閉じている間、それぞれキャビティ４２，４３相互間に位置する。
【００５１】
注目されるべきこととして、頂部ブロック４１を底部ブロック４０に対して軸方向に変位させてキャビティ４２，４４を互いに位置合わせ状態にすることにより、互いに整列状態にあり、互いに逆方向に交互に延びるベース付きの歯の単一の列を備えたアプリケータ部材を米国特許第６，５８１，６１０号に記載されているのと同一の仕方で製作することができる。
【００５２】
器具１を使用するため、ユーザは、クロージャキャップ５をねじ戻して弛め、アプリケータ部材８を容器３から取り出すことができる。
【００５３】
アプリケータ部材８がワイパ部材をいったん通過すると、或る量の物質が、歯の列２０，３０相互間及び上記列の歯相互間に残り、この物質をユーザの睫毛又は眉毛に塗布することができる。比較的多い数の歯及びアプリケータ上へのこれらの配置により、睫毛を適切に手入れすることができる。
【００５４】
当然のことながら、本発明は、上述の実施形態には限定されない。
特に、支持体上の歯の位置決めを変更することができ、例えば、列２０，３０を図９ａに示すように互いに離隔させることができる。この実施形態では、列のうちの一方の歯はどれも他方の列の歯に触れない。
各列に属する歯は又、分離面Ｓ１又はＳ２から末広がりに遠ざかってもよい。
【００５５】
図１〜図７を参照して上述した実施形態では、列２０の歯２１，２２は、第１の方向に平行に延び、列３０の歯３１，３２は、第１の方向とは異なる第２の方向に平行に延びている。これは、必ずしもそうである必要はない。
【００５６】
かくして、アプリケータ部材１０を横断面で見て、図９ｃはかくして、歯２１，２２の長手方向軸線が、互いに角度β１をなし、この角度β１が、歯３１，３２の長手方向軸線のなす角度β２とは異なる形態を示している。それ自体角度β１，β２の２等分線のなす角度αの２等分線は、フェース１１に垂直であるのがよいが、このようにするかどうかは任意である。
【００５７】
図９ｄは、分離面Ｓ１，Ｓ２のなす角度αの２等分線は、支持体１０のフェース１１の法線Ｎと一致していない形態を示している。
図９ｅは、列のうちの一方、例えば列２０の歯が、列３０の歯の長さとは異なる長さを有する変形実施形態を示している。
図９ｆは、列のうちの少なくとも一方の歯が互いに異なる高さを有する可能性を示している。検討中の実施形態では、列２０，３０は各々、互いに異なる高さの歯を有している。一例を挙げると、歯２１を歯２２よりも短く作り、歯３１を歯３２よりも長く作ってもよい。
【００５８】
図９ｇは、列２０，３０の歯の少なくとも１つが、レリーフ部分を有し、例えば、成形に起因して生じる隆起部又はプラスチック材料中の充填材の存在に関連付けられた粗さを備える可能性を示している。
図９ｈに示す実施形態では、列２０，３０は各々、互いに異なるレリーフ部分を備えた歯を有している。
図９ｉは、充填材入りプラスチック材料、例えば磁気粒子を含むプラスチック材料でアプリケータ部材を製作する可能性を示している。磁化性であると共に（或いは）磁化させることができるかかる粒子により作られる磁界は、例えば、睫毛に作用を及ぼすことができると共に（或いは）物質中に存在している磁気繊維と相互作用することができる。
【００５９】
図９ｊは、少なくとも一部がフロック加工部を備えたアプリケータ部材を製作する可能性を示しており、このフロック加工部は、例えば歯だけにわたって延びる。
図９ｋは、各列の歯が互いに整列状態にあるベースを有する可能性を示している。歯は、半円形ではない断面、例えば図９Ｋに示すように円形である断面を有してもよい。
図９ｌは、歯がこれらの自由端部のところにそれぞれレリーフ部分又は特定の形状、例えば図示のようにフック形状の部分を有する可能性を示しており、フックは、支持体の長手方向軸線に対して横断方向に又はこれと平行に延びることができる。
【００６０】
図１０ａ〜図１０ｃは、アプリケータ部材が複数の側面を有する可能性を示しており、各側面は、本発明の歯の配列体をそれぞれ支持している。
図１０ａは、２つの互いに反対側のフェース１１ａ，１１ｂを有するアプリケータ部材を示しており、各フェースは、本発明に従って配置され、例えば図３を参照して説明したような歯の２つの列を支持している。
図１０ｂでは、支持体１０は、３つのフェース１１ａ，１１ｂ，１１ｃを有し、各フェースは、本発明に従って配置された歯の２つの列を支持し、図１０ｃでは、支持体１０は、４つのフェース１１ａ〜１１ｄを有し、各フェースは、本発明に従って配置された歯の２つの列を支持している。
【００６１】
図１１は、支持体１０が直線状ではなく、例えば、曲線状の長手方向軸線Ｙを有する可能性を示しており、歯は、例えば図示のように支持体の凹状側面に位置している。歯を支持体の凸状側面に設けることは本発明の範囲から逸脱せず、この変形例は図示されていない。
列２０，３０は、図１２に示すように互いに異なる数の歯を有してもよく、例えば、列のうちの一方は、他方の列よりも短い。
歯は、各列内で、図１３及び図１４に示すように歯のグループ４０をなして整然と配置されたものであるのがよい。
列２０の歯２１，２２は、例えば１対ずつグループ分けされ、同じことは、列３０の歯３１，３２について当てはまり、２つの列の歯の対４０は、例えば図１４を参照して理解できるように互い違いの形態に配置されている。
【００６２】
図１６は、列のうちの一方の歯、例えば列２０の歯２１，２２が支持体の遠位端部及び近位端部に向かって交互に延びる可能性を示している。
同じことが、列３０の歯３１，３２についての当てはまる。
歯の交差した対の頂部相互間にＶ字形チャネル５０を形成するのがよい。
互いに交差した歯は、これらの交差部のところで互いに触れ合うのがよいが、このようにするかどうかは任意である。歯を支持体の長さの全てに沿って又はその一部に沿ってのみ交差してもよい。
【００６３】
適宜、２つの交差した歯を歯が連結された支持体のフェースに垂直な長手方向軸線を含む中間平面に対し外方又は内方に差し向けてもよい。
２つの交差した歯の少なくとも２つの連続した対を、列に沿って進むと、上記中間平面に対し内方又は外方に傾斜させてもよく、或いは対を交互に内方及び外方に傾斜させてもよい。
当然のことながら、本発明は、上述の実施形態には限定されない。例えば、歯を対をなすやり方以外の或るやり方でグループ分けすることが可能であり、同一列内のグループ相互間の距離は、任意的に同じであり、特に、一グループ内の歯相互間の距離よりも長い。
上述の種々の実施形態の特徴を互いに組み合わせることができ、例えば、上述の変形実施形態のうちの任意のものを充填材として磁気粒子を含むプラスチック材料で作ることができる。
【００６４】
本明細書全体を通じ、部材個数に関し、「〜を有する又は含む（comprises a ）」という用語は、特段の指定がなければ、「〜を少なくとも一つ有する又は含む（comprises at least of ）」という表現と同義であると解されるべきである。
【図面の簡単な説明】
【００６５】
【図１】本発明に従って構成された器具の実施形態の部分縦断面概略立面図である。
【図２】図１のアプリケータ部材をそれだけ切り離して示す図である。
【図３】図２のＩＩＩ−ＩＩＩ矢視断面図である。
【図４】図２のアプリケータ部材の実施形態の細部を示す図である。
【図５】図４のＶに沿って見た列の２つの連続した歯の断面図である。
【図６】図４のＶＩに沿って見た列の２つの連続した歯の断面図である。
【図７】図２の矢印ＶＩＩに沿って見た部分平面図である。
【図８】図２のアプリケータ部材を製作するために利用されるのに適した金型の概略部分斜視図である。
【図９ａ】図３に類似した図であり、一実施形態を示す図である。
【図９ｂ】図３に類似した図であり、別の実施形態を示す図である。
【図９ｃ】図３に類似した図であり、別の実施形態を示す図である。
【図９ｄ】図３に類似した図であり、別の実施形態を示す図である。
【図９ｅ】図３に類似した図であり、別の実施形態を示す図である。
【図９ｆ】図３に類似した図であり、別の実施形態を示す図である。
【図９ｇ】図３に類似した図であり、別の実施形態を示す図である。
【図９ｈ】図３に類似した図であり、別の実施形態を示す図である。
【図９ｉ】図３に類似した図であり、別の実施形態を示す図である。
【図９ｊ】図３に類似した図であり、別の実施形態を示す図である。
【図９ｋ】図３に類似した図であり、別の実施形態を示す図である。
【図９ｌ】図３に類似した図であり、別の実施形態を示す図である。
【図１０ａ】アプリケータ部材が歯の列を支持した複数の側面を有する他の実施形態の断面図である。
【図１０ｂ】アプリケータ部材が歯の列を支持した複数の側面を有する他の実施形態の断面図である。
【図１０ｃ】アプリケータ部材が歯の列を支持した複数の側面を有する他の実施形態の断面図である。
【図１１】曲線状の長手方向軸線を備えたアプリケータ部材の支持体を製作する可能性を示す図である。
【図１２】図７に類似した図であって、列のうち一方が他方の列よりも歯の数の少ない変形実施形態の図である。
【図１３】歯が束の状態に互いにグループ分けされた変形実施形態の側面図である。
【図１４】図１３のＸＩＶ矢視平面図である。
【図１５】円形断面の歯の断面図である。
【図１６】本発明の変形実施形態の歯の列の概略部分側面図である。
【図１】
2006051350.tif 000003
【図２】
2006051350.tif 000004
【図３】
2006051350.tif 000005
【図４】
2006051350.tif 000006
【図５】
2006051350.tif 000007
【図６】
2006051350.tif 000008
【図７】
2006051350.tif 000009
【図８】
2006051350.tif 000010
【図９ａ】
2006051350.tif 000011
【図９ｂ】
2006051350.tif 000012
【図９ｃ】
2006051350.tif 000013
【図９ｄ】
2006051350.tif 000014
【図９ｅ】
2006051350.tif 000015
【図９ｆ】
2006051350.tif 000016
【図９ｇ】
2006051350.tif 000017
【図９ｈ】
2006051350.tif 000018
【図９ｉ】
2006051350.tif 000019
【図９ｊ】
2006051350.tif 000020
【図９ｋ】
2006051350.tif 000021
【図９ｌ】
2006051350.tif 000022
【図１０ａ】
2006051350.tif 000023
【図１０ｂ】
2006051350.tif 000024
【図１０ｃ】
2006051350.tif 000025
【図１１】
2006051350.tif 000026
【図１２】
2006051350.tif 000027
【図１３】
2006051350.tif 000028
【図１４】
2006051350.tif 000029
【図１５】
2006051350.tif 000030
【図１６】
2006051350.tif 000031
【外国語明細書】
2006051350.tif 000032
2006051350.tif 000033
2006051350.tif 000034
2006051350.tif 000035
2006051350.tif 000036
2006051350.tif 000037
2006051350.tif 000038
2006051350.tif 000039
2006051350.tif 000040
2006051350.tif 000041
2006051350.tif 000042
2006051350.tif 000043
2006051350.tif 000044
2006051350.tif 000045
2006051350.tif 000046
2006051350.tif 000047
2006051350.tif 000048
2006051350.tif 000049
2006051350.tif 000050
2006051350.tif 000051
2006051350.tif 000052
2006051350.tif 000053
2006051350.tif 000054
2006051350.tif 000055
2006051350.tif 000056
2006051350.tif 000057
2006051350.tif 000058
2006051350.tif 000059
2006051350.tif 000060
2006051350.tif 000061